(57)【特許請求の範囲】
【請求項１】
底部と、該底部の相対する一方の土手部にヒンジ連結された相対する一方の側壁と、前記一方の土手部より高さの高い、前記底部の相対するもう一方の土手部にヒンジ連結された相対するもう一方の側壁とからなり、箱型に組み立てられた折り畳みコンテナーを折り畳む際には、前記相対する一方の側壁の配置されたロック部材を下降させて、前記相対する一方の側壁と前記相対するもう一方の側壁とのロック状態を解除し、その後、前記相対する一方の側壁を底部に重なるように倒し、次いで、前記相対するもう一方の側壁を、先に倒された相対する一方の側壁に重なるように倒すことにより、箱型に組み立てられた折り畳みコンテナーを折り畳むことができる折り畳みコンテナーにおいて、前記ロック部材の中央部に指挿入凹部が形成されているとともに、該指挿入凹部を構成する下辺部が、上部水平板と、下部水平板と、前記上部水平板と前記下部水平板の先端を連結する垂直板とにより構成されており、また、前記指挿入凹部の上方に位置する、前記先に倒される一方の側壁を構成する上端枠部材の垂直板部の中央部を下方に延在することにより、前記上端枠部材の前記垂直板部には、前記指挿入凹部内に位置する指引っ掛け片が垂下されていることを特徴とする折り畳みコンテナー。
【発明の詳細な説明】
【技術分野】
【０００１】
本発明は、底部と、該底部の相対する一方の土手部にヒンジ連結された相対する一方の側壁と、前記一方の土手部より高さの高い、前記底部の相対するもう一方の土手部にヒンジ連結された相対するもう一方の側壁とからなり、箱型に組み立てられた折り畳みコンテナーを折り畳む際には、前記相対する一方の側壁の配置されたロック部材を下降させて、前記相対する一方の側壁と前記相対するもう一方の側壁とのロック状態を解除し、その後、前記相対する一方の側壁を底部に重なるように倒し、次いで、前記相対するもう一方の側壁を、先に倒された相対する一方の側壁に重なるように倒すことにより、箱型に組み立てられた折り畳みコンテナーを折り畳むことができる折り畳みコンテナーに関するものである。
【背景技術】
【０００２】
従来、箱型に組み立てられた状態から、最初に倒される前記相対する一方の側壁に配置されたロック部材の下方に、持ち手用の把持孔が穿設されている折り畳みコンテナーが、特許文献１に開示されている。
【先行技術文献】
【特許文献】
【０００３】
【特許文献１】特開２００３−２６７３６１公報
【発明の概要】
【発明が解決しようとする課題】
【０００４】
上述した公知の折り畳みコンテナーにおいては、最初に倒される前記相対する一方の側壁に配置されたロック部材が、最初に倒される前記相対する一方の側壁の上方に配設されており、持ち手用の把持孔は、ロック部材の下方に穿設されている。このように、持ち手用の把持孔が、ロック部材の下方に位置していると、持ち手用の把持孔に手を入れて、箱型に組み立てられた折り畳みコンテナーを運搬する際に、折り畳みコンテナーの運搬時における安定性が低下するという問題があった。
【０００５】
また、最初に倒される前記相対する一方の側壁に配置されたロック部材の下方に、持ち手用の把持孔を穿設すると、折り畳みコンテナーに収容される物品の大きさによっては、物品が、持ち手用の把持孔から排出されることになるので、持ち手用の把持孔より下方に位置する部分に、物品を収容しなければならず、従って、折り畳みコンテナーの収容効率が低下するという問題があった。
【０００６】
更に、最初に倒される前記相対する一方の側壁に配置されたロック部材の下方に、持ち手用の把持孔を穿設すると、前記相対する一方の側壁の印刷面やラベル貼着面等の表示部の面積が減少するという問題があった。
【０００７】
本発明は、上述した従来の折り畳みコンテナーが有する課題を解決することにある。
【課題を解決するための手段】
【０００８】
本願発明は、上述した課題を解決するために、底部と、該底部の相対する一方の土手部にヒンジ連結された相対する一方の側壁と、前記一方の土手部より高さの高い、前記底部の相対するもう一方の土手部にヒンジ連結された相対するもう一方の側壁とからなり、箱型に組み立てられた折り畳みコンテナーを折り畳む際には、前記相対する一方の側壁の配置されたロック部材を下降させて、前記相対する一方の側壁と前記相対するもう一方の側壁とのロック状態を解除し、その後、前記相対する一方の側壁を底部に重なるように倒し、次いで、前記相対するもう一方の側壁を、先に倒された相対する一方の側壁に重なるように倒すことにより、箱型に組み立てられた折り畳みコンテナーを折り畳むことができる折り畳みコンテナーにおいて、前記ロック部材の中央部に指挿入凹部が形成されているとともに、該指挿入凹部を構成する下辺部が、上部水平板と、下部水平板と、前記上部水平板と前記下部水平板の先端を連結する垂直板とにより構成されており、また、前記指挿入凹部の上方に位置する、前記先に倒される一方の側壁を構成する上端枠部材の垂直板部の中央部を下方に延在することにより、前記上端枠部材の前記垂直板部には、前記指挿入凹部内に位置する指引っ掛け片を垂下したものである。
【発明の効果】
【０００９】
物品が収容された箱型に組み立てられた折り畳みコンテナーの運搬作業の際の持ち手位置が、ロック部材より上方に位置しているので、物品が収容された箱型に組み立てられた折り畳みコンテナーを、安定した状態で運搬することができる。
【００１０】
また、ロック部材の下方に把持孔が穿設されている場合には、物品が収容された箱型に組み立てられた折り畳みコンテナーの運搬作業の際の持ち手位置が下方に位置することになるので、物品が収容された箱型に組み立てられた折り畳みコンテナーの運搬作業を安定した状態で行うことができない。特に、箱型に組み立てられた折り畳みコンテナーの上端部まで物品が収容された折り畳みコンテナーを、運搬する場合には、より不安定な状態で、物品が収容された箱型に組み立てられた折り畳みコンテナーを運搬しなければならず、従って、作業者の労働負担が増加することになる。一方、本願発明のように、物品が収容された箱型に組み立てられた折り畳みコンテナーの運搬作業の際の持ち手位置が、ロック部材より上方に位置しているので、物品が収容された箱型に組み立てられた折り畳みコンテナーを、安定した状態で運搬することができる。
【００１１】
更に、ロック部材の下方に把持孔が穿設されていないので、箱型に組み立てられた折り畳みコンテナーに収容された物品が、把持孔から排出されるようなことがなく、従って、箱型に組み立てられた折り畳みコンテナーの収容容積を、無駄なく利用することができる。
【図面の簡単な説明】
【００１２】
【図１】図１は、本願発明の折り畳みコンテナーの斜視図である。
【図２】図２は、本願発明の折り畳みコンテナーの短側壁の垂直断面を含む拡大斜視図である。
【図３】図３は、本願発明の折り畳みコンテナーを構成する別の実施例の短側壁の斜視図でる。
【図４】図４は、本願発明の折り畳みコンテナーの別の実施例の短側壁の垂直断面を含む拡大斜視図である。
【実施例】
【００１３】
図１に示されているように、折り畳みコンテナーは、底部１と、底部１の相対する長辺側土手部１ａにヒンジ連結された長側壁２と、長辺側土手部１ａより高さの低い短辺側土手部１ｂにヒンジ連結された短側壁３とにより構成されている。また、短側壁３には、箱型に組み立てられた状態において、先に倒される短側壁３が、底部１方向に倒れないように、長側壁２にロックするととともに、折り畳む際には、短側壁３と長側壁２とのロック状態を解除するようなロック部材４が配設されている。
【００１４】
折り畳みコンテナーが、箱型に組み立てられた状態においては、短側壁３に配設されたロック部材４の先端部が、長側壁２に形成された係合凹部に係合されて、短側壁３が、底部１方向に倒れないように構成されており、また、折り畳みコンテナーを折り畳む際には、ロック部材４を下降させて、ロック部材４の先端部を、長側壁２に形成された係合凹部から排出させて、短側壁３と長側壁２とのロック状態を解除し、その後、短側壁３を、底部１方向に倒し、底部１と重ね、次いで、長側壁２を、底部１に重ねられた短側壁３の上に重ねることにより、箱型に組み立てられた折り畳みコンテナーを、折り畳むことができるように構成されている。
【００１５】
上述したような構成を有する折り畳みコンテナーは、一例として例示した刊行物１に開示されているように、周知であるので、ロック部材４による、長側壁２と短側壁３とのロック状態や長側壁２と短側壁３とのロック解除状態等についての詳細な説明は省略する。
【００１６】
短側壁３を構成する上端枠部材３ａは、短側壁３の板部３’に略平行な垂直板部３ａ１と、垂直板部３ａ１の上端から、折り畳みコンテナーの内部方向に延在する上端水平板部３ａ２と、該上端水平板部３ａ２の下方に位置する上部水平板部３ａ３と、垂直板部３ａ１の下端から、折り畳みコンテナーの内部方向に延在する下端水平板部３ａ４とから構成されている。また、下端水平板部３ａ４の下方には、短側壁３の板部３’から略垂直に延在するとともに、下部水平板部３ａ４と所定の間隔を置いて、下部水平板部３ａ５が形成されており、下端水平板部３ａ４と下部水平板部３ａ５と板部３’とにより形成される空間部に、ロック部材４が上下動可能に収容されている。
【００１７】
短側壁３を構成する上端枠部材３ａの中央部には、垂直板部３ａ１の中央部を下方に延在するとともに、下端水平板部３ａ４を越えて下方に延在する指引っ掛け片３ａ６が垂下されている。
【００１８】
一方、指引っ掛け片３ａ６の下方に位置するロック部材４の中央部には、上述した指引っ掛け片３ａ６が位置するように、指挿入凹部４ａが形成されている。このような指挿入凹部４ａを、ロック部材４に形成すると、ロック部材４の強度や剛性が低下するので、指挿入凹部４ａを構成する下辺部４ｂを、上部水平板４ｂ１と、下部水平板４ｂ２と、上部水平板４ｂ１と下部水平板４ｂ２の先端を連結する垂直板４ｂ３とにより構成することが好ましい。このように、指挿入凹部４ａを構成する下辺部４ｂを、上部水平板４ｂ１と下部水平板４ｂ２との二重構造とすることにより、ロック部材４の強度や剛性の低下を、抑制することができる。
【００１９】
物品が収容された箱型に組み立てられた折り畳みコンテナーを、搬送する際には、ロック部材４の指挿入凹部４ａに指を入れるとともに、短側壁３の上端枠部材３ａを構成する垂直板部３ａ１の中央部を、下端水平板部３ａ４を越えて下方に延在することにより形成された指引っ掛け片３ａ６に、指の先端部を引っ掛けることにより、物品が収容された箱型に組み立てられた折り畳みコンテナーの運搬作業の際の持ち手位置が、ロック部材４より上方に位置しているので、物品が収容された箱型に組み立てられた折り畳みコンテナーを、安定した状態で運搬することができる。
【００２０】
特許文献１に開示されているように、短側壁に配設されたロック部材の下方に把持孔が穿設されている場合には、物品が収容された箱型に組み立てられた折り畳みコンテナーの運搬作業の際の持ち手位置が下方に位置することになるので、物品が収容された箱型に組み立てられた折り畳みコンテナーの運搬作業を安定した状態で行うことができない。特に、箱型に組み立てられた折り畳みコンテナーの上端部まで物品が収容された折り畳みコンテナーを、運搬する場合には、より不安定な状態で、物品が収容された箱型に組み立てられた折り畳みコンテナーを運搬しなければならず、従って、作業者の労働負担が増加することになる。一方、本願発明においては、物品が収容された箱型に組み立てられた折り畳みコンテナーの運搬作業の際の持ち手位置が、ロック部材４より上方に位置しているので、物品が収容された箱型に組み立てられた折り畳みコンテナーを、安定した状態で運搬することができ、従って、特許文献１に開示されているような折り畳みコンテナーが有する課題を解決することができる。
【００２１】
また、本願発明においては、特許文献１に開示されているような、短側壁に配設されたロック部材の下方に把持孔が穿設されていないので、箱型に組み立てられた折り畳みコンテナーに収容された物品が、把持孔から排出されるようなことがなく、従って、箱型に組み立てられた折り畳みコンテナーの収容容積を、無駄なく利用することができる。
【００２２】
次に、図３及び図４を用いて、本願発明の別の実施例について説明する。
【００２３】
本実施例においては、短側壁３を構成する上端枠部材３ａには、上述した実施例のような、短側壁３を構成する上端枠部材３ａの垂直板部３ａ１の中央部を、下端水平板部３ａ４を越えて下方に延在する指引っ掛け片３ａ６が垂下されていない。
【００２４】
本実施例においては、ロック部材４に形成された指挿入凹部４ａを構成する上部水平梁部４ｃの垂直板部４’のうち、指挿入凹部４ａの上方に位置する部分を、下方に延在することにより、ロック部材４自体に、指引っ掛け片４ｃ１が垂下されている。
【００２５】
上述したように、ロック部材４に形成された指挿入凹部４ａを構成する上部水平梁部４ｃに指引っ掛け片４ｃ１を垂下したので、物品が収容された箱型に組み立てられた折り畳みコンテナーの運搬作業の際の持ち手位置が、ロック部材４の上方に位置しているので、物品が収容された箱型に組み立てられた折り畳みコンテナーを、安定した状態で運搬することができ、従って、特許文献１に開示されているような折り畳みコンテナーが有する課題を解決することができる。
【００２６】
また、本実施においても、特許文献１に開示されているような、短側壁に配設されたロック部材の下方に把持孔が穿設されていないので、箱型に組み立てられた折り畳みコンテナーに収容された物品が、把持孔から排出されるようなことがなく、従って、箱型に組み立てられた折り畳みコンテナーの収容容積を、無駄なく利用することができる。
【符号の説明】
【００２７】
１・・・・・・・・・・・底部
１ａ・・・・・・・・・・長辺側土手部
１ｂ・・・・・・・・・・短辺側土手部
２・・・・・・・・・・・長側壁
３・・・・・・・・・・・短側壁
３ａ６・・・・・・・・・指引っ掛け片
４・・・・・・・・・・・ロック部材
４ａ・・・・・・・・・・指挿入凹部
４ｃ１・・・・・・・・・指引っ掛け片
【図１】
0005507382.tif 000002
【図２】
0005507382.tif 000003
【図３】
0005507382.tif 000004
【図４】
0005507382.tif 000005